【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
１つまたは複数のクライアントマシン、プリンタ、およびサーバと、ネットワークエンティティの一覧を含むディレクトリと、前記ネットワークエンティティに割り当てることが可能な構成可能パラメータを含めた構成定義とを含むネットワーク内で、プリンタコネクションを管理する方法であって、前記構成定義の前記構成可能パラメータの１つは、前記ネットワーク内の前記プリンタのうちの指定のプリンタへのコネクションの、前記ネットワークエンティティの割当てを含み、
ネットワークリソースの前記ディレクトリ中で表された第１のネットワークエンティティに割り当てられた第１の構成定義内の、プリンタコネクションの割当てのセットの変更を指定するステップと、
前記第１のネットワークエンティティに関連するクライアントマシンによって、プリンタコネクションの割当てのセットの変更の通知を受け取るステップと、
前記クライアントマシンによって、プリンタコネクションの割当てのセットの変更を前記クライアントマシンのプリンタサブシステムに組み込むステップと
を備えることを特徴とする方法。
【請求項２】
前記ネットワークリソースディレクトリ中で識別されるユーザおよびマシンのグループについての構成を定義するポリシーオブジェクトのコンテナ中で、前記構成定義を維持するステップ
を備えることを特徴とする請求項１に記載の方法。
【請求項３】
ポリシーオブジェクトの前記コンテナ中の構成定義を、前記ディレクトリ中に列挙された前記ネットワークエンティティのうちの選択されたネットワークエンティティに関連付けるリンクを維持するステップ
をさらに備えることを特徴とする請求項２に記載の方法。
【請求項４】
構成定義を一覧表示するための閲覧機能を備えるネットワーク管理グラフィカルユーザインタフェースを介して、プリンタのうちの指定のプリンタへの新しいプリンタコネクションの、前記ネットワークエンティティの割当てを、前記第１の構成定義に追加するステップ
を備えることを特徴とする請求項１に記載の方法。
【請求項５】
前記第１のネットワークエンティティはユーザのグループを含む
ことを特徴とする請求項１に記載の方法。
【請求項６】
前記第１のネットワークエンティティはクライアントマシンを含む
ことを特徴とする請求項１に記載の方法。
【請求項７】
前記第１のネットワークエンティティはマシンのグループを含む
ことを特徴とする請求項１に記載の方法。
【請求項８】
前記ディレクトリと構成定義とを備えるディレクトリサーバマシン上で変更済み構成定義のリストが維持され、
前記指定するステップに従って、前記第１の構成定義に対応する項目であってプリンタコネクションの変更タイプを識別する項目を、前記変更済み構成定義のリスト内に挿入するステップをさらに備える
ことを特徴とする請求項１に記載の方法。
【請求項９】
クライアント側構成管理コードが前記クライアントマシン上にあり、
前記クライアント側構成管理コードによって、前記第１の構成定義の更新があるかどうかを前記ディレクトリサーバマシンに照会するステップをさらに備える
ことを特徴とする請求項８に記載の方法。
【請求項１０】
前記ディレクトリおよび構成定義はディレクトリサーバマシン上にあり、クライアント側構成管理コードが前記クライアントマシン上にあり、
周期的なタイマイベントに従って前記クライアント側構成管理コードを呼び出して、前記第１の構成定義の更新があるかどうかを前記ディレクトリサーバマシンに照会するステップをさらに備える
ことを特徴とする請求項１に記載の方法。
【請求項１１】
プリンタコネクションおよび関連する構成定義のリストを前記クライアントマシン上で維持するステップ
をさらに備えることを特徴とする請求項１に記載の方法。
【請求項１２】
１つまたは複数のクライアントマシン、プリンタ、およびサーバを含むネットワーク内でプリンタコネクションを管理するためのプリンタコネクションの管理フレームワークであって、
ネットワークエンティティの一覧を含むディレクトリと、前記ネットワークエンティティに割り当てることが可能な構成定義とを備えるディレクトリサービスサーバであって、前記構成定義は前記ネットワーク内の前記プリンタのうちの指定のプリンタへのプリンタコネクションの、前記ネットワークエンティティの割当てを含むことが可能であるディレクトリサービスサーバと、
プリンタコネクションのエクステンションを含むクライアントマシンとを備え、
プリンタコネクションのエクステンションは、
前記ディレクトリサービスサーバ中の第１の構成定義であって前記クライアントマシンが関連付けられている第１のネットワークエンティティに割り当てられた第１の構成定義に対応するプリンタコネクションの更新を処理することと、
前記クライアントマシン上のプリンタサブシステムに更新要求をサブミットして、プリンタコネクションの更新に従ったプリンタコネクションの割当ての変更を前記プリンタサブシステムに通知することとを行う
ことを特徴とするプリンタコネクションの管理フレームワーク。
【請求項１３】
ネットワークリソースの前記ディレクトリ中で識別されるユーザおよびマシンのグループについての構成を定義する構成定義を含むポリシーオブジェクトのコンテナを、前記ディレクトリサービスサーバ上に備えた
ことを特徴とする請求項１２に記載のプリンタコネクションの管理フレームワーク。
【請求項１４】
ポリシーオブジェクトの前記コンテナ中の構成定義を、前記ディレクトリ中に列挙された前記ネットワークエンティティのうちの選択されたネットワークエンティティに関連付けるリンク
をさらに備えたことを特徴とする請求項１３に記載のプリンタコネクションの管理フレームワーク。
【請求項１５】
新しいプリンタコネクションの割当てを前記第１の構成定義に追加するためのネットワーク管理グラフィカルユーザインタフェースをさらに備え、前記グラフィカルユーザインタフェースは構成定義を一覧表示するための閲覧機能を備えた
ことを特徴とする請求項１２に記載のプリンタコネクションの管理フレームワーク。
【請求項１６】
前記第１のネットワークエンティティはユーザのグループを含む
ことを特徴とする請求項１２に記載のプリンタコネクションの管理フレームワーク。
【請求項１７】
前記第１のネットワークエンティティはクライアントマシンを含む
ことを特徴とする請求項１２に記載のプリンタコネクションの管理フレームワーク。
【請求項１８】
前記第１のネットワークエンティティはマシンのグループを含む
ことを特徴とする請求項１２に記載のプリンタコネクションの管理フレームワーク。
【請求項１９】
前記ディレクトリと構成定義とを備えるディレクトリサーバマシン上で維持される変更済み構成定義のリストをさらに備え、前記第１の構成定義中でプリンタコネクションの割当ての変更を指定するのに従って、前記第１の構成定義中のプリンタコネクションの割当ての変更タイプを識別する項目が前記変更済み構成定義のリストに挿入される
ことを特徴とする請求項１２に記載のプリンタコネクションの管理フレームワーク。
【請求項２０】
クライアント側構成管理コードが前記クライアントマシン上にあり、前記構成管理コードは、前記第１の構成定義の更新があるかどうかを前記ディレクトリサーバマシンに照会する
ことを特徴とする請求項１９に記載のプリンタコネクションの管理フレームワーク。
【請求項２１】
前記ディレクトリおよび構成定義はディレクトリサーバマシン上にあり、クライアント側構成管理コードが前記クライアントマシン上にあり、さらに周期的タイマを備え、前記クライアント側構成管理コードは、前記周期的タイマによって開始されたイベントに従って呼び出されて、前記第１の構成定義の更新があるかどうかを前記ディレクトリサーバマシンに照会する
ことを特徴とする請求項１２に記載のプリンタコネクションの管理フレームワーク。
【請求項２２】
前記周期的タイマの周期は構成可能である
ことを特徴とする請求項２１に記載のプリンタコネクションの管理フレームワーク。
【請求項２３】
プリンタコネクションの割当ておよび関連する構成定義の、リストを前記クライアントマシン上にさらに備えた
ことを特徴とする請求項１２に記載のプリンタコネクションの管理フレームワーク。
【請求項２４】
プリンタと、ネットワークエンティティの一覧を含むディレクトリと、前記ネットワークエンティティに割り当てることが可能な構成可能パラメータを含めた構成定義とを含むネットワーク内で、クライアントマシンによってプリンタコネクションを更新する方法であって、前記構成定義の前記構成可能パラメータの１つは、前記ネットワーク内の前記プリンタのうちの指定のプリンタへのコネクションの、前記ネットワークエンティティの割当てを含み、前記方法は、前記クライアントマシンによって実施されるステップ、すなわち、
前記クライアントマシンが関連付けられている前記ディレクトリ中の第１のネットワークエンティティに割り当てられた構成定義中で維持される情報の更新を要求するステップと、
前記第１のネットワークエンティティに割り当てられた前記構成定義中の、プリンタコネクションの割当てのセットの変更の通知を受け取るステップと、
プリンタコネクションの割当てのセットの変更を前記クライアントマシンのプリンタサブシステムに組み込むステップと
を備えることを特徴とする方法。
【請求項２５】
前記クライアントマシンはログオンスクリプトを備え、前記要求するステップは、前記ログオンスクリプトを実行するのに従って前記クライアントマシン上で呼び出される
ことを特徴とする請求項２４に記載の方法。
【請求項２６】
前記第１のネットワークエンティティはユーザのグループを含む
ことを特徴とする請求項２４に記載の方法。
【請求項２７】
前記第１のネットワークエンティティはクライアントマシンを含む
ことを特徴とする請求項２４に記載の方法。
【請求項２８】
前記第１のネットワークエンティティはマシンのグループを含む
ことを特徴とする請求項２４に記載の方法。
【請求項２９】
クライアント側構成管理コードが前記クライアントマシン上にあり、
前記クライアント側構成管理コードによって、前記第１の構成定義の更新があるかどうかをディレクトリサーバマシンに照会するステップをさらに備える
ことを特徴とする請求項２４に記載の方法。
【請求項３０】
前記ディレクトリおよび構成定義はディレクトリサーバマシン上にあり、クライアント側構成管理コードが前記クライアントマシン上にあり、
周期的なタイマイベントに従って前記クライアント側構成管理コードを呼び出して、前記第１の構成定義の更新があるかどうかを前記ディレクトリサーバマシンに照会するステップをさらに備える
ことを特徴とする請求項２４に記載の方法。
【請求項３１】
プリンタコネクションの割当ておよび関連する構成定義の、リストを前記クライアントマシン上で維持するステップ
をさらに備えることを特徴とする請求項２４に記載の方法。
【請求項３２】
プリンタと、ネットワークエンティティの一覧を含むディレクトリと、前記ネットワークエンティティに割り当てることが可能な構成定義とを含むネットワーク内でプリンタコネクションを維持するための、ネットワーク化されたクライアントマシンに組み込まれるプリンタコネクションの管理フレームワークであって、前記構成定義はプリンタコネクションの割当てを含むことが可能であり、ネットワーク化されたクライアントマシン中のプリンタコネクションの管理フレームワークはプリンタコネクションのエクステンションを備え、
プリンタコネクションのエクステンションは、
前記クライアントマシンが関連付けられている第１のネットワークエンティティに割り当てられた少なくとも第１の構成定義に対応するプリンタコネクションの割当ての更新呼出しを処理すること、および、
前記クライアントマシン上のプリンタサブシステムに更新要求をサブミットして、プリンタコネクションの更新に従ったプリンタコネクションの割当ての変更を前記プリンタサブシステムに通知することを行う
ことを特徴とするプリンタコネクションの管理フレームワーク。
【請求項３３】
前記ネットワーク化されたクライアントマシンが関連付けられているネットワークエンティティについての構成定義の変更を監視するための構成定義管理コード
をさらに備えたことを特徴とする請求項３２に記載のプリンタコネクションの管理フレームワーク。
【請求項３４】
前記構成定義管理コードは周期的に呼び出される
ことを特徴とする請求項３３に記載のプリンタコネクションの管理フレームワーク。
【請求項３５】
前記構成定義管理コードはユーザログオンイベントに応答して呼び出される
ことを特徴とする請求項３４に記載のプリンタコネクションの管理フレームワーク。
【請求項３６】
プリンタコネクションのエクステンションを呼び出すことになる周期的な調時式イベント
をさらに備えることを特徴とする請求項３２に記載のプリンタコネクションの管理フレームワーク。
【請求項３７】
前記周期的な調時式イベントの周期は構成可能である
ことを特徴とする請求項３６に記載のプリンタコネクションの管理フレームワーク。
【請求項３８】
前記第１のネットワークエンティティはユーザのグループを含む
ことを特徴とする請求項３２に記載のプリンタコネクションの管理フレームワーク。
【請求項３９】
前記第１のネットワークエンティティはクライアントマシンを含む
ことを特徴とする請求項３２に記載のプリンタコネクションの管理フレームワーク。
【請求項４０】
前記第１のネットワークエンティティはマシンのグループを含む
ことを特徴とする請求項３２に記載のプリンタコネクションの管理フレームワーク。
【請求項４１】
ディレクトリサーバマシンが前記ディレクトリおよび構成定義を維持し、前記第１の構成定義の変更があるかどうかを前記ディレクトリサーバマシンに照会するためのクライアント側構成管理コードをさらに備えた
ことを特徴とする請求項３２に記載のプリンタコネクションの管理フレームワーク。
【請求項４２】
前記ディレクトリおよび構成定義はディレクトリサーバマシン上にあり、
クライアント側構成管理コードと、
周期的タイマとをさらに備え、
前記クライアント側構成管理コードは、前記周期的タイマによって開始されるイベントに従って呼び出されて、前記第１の構成定義の変更があるかどうかを前記ディレクトリサーバマシンに照会する
ことを特徴とする請求項３２に記載のプリンタコネクションの管理フレームワーク。
【請求項４３】
プリンタコネクションおよび関連する構成定義のリストを維持するためのレジストリ
をさらに備えたことを特徴とする請求項３２に記載のプリンタコネクションの管理フレームワーク。
【請求項４４】
プリンタと、ネットワークエンティティの一覧を含むディレクトリと、前記ネットワークエンティティに割り当てることが可能な構成可能パラメータを含めた構成定義とを含むネットワーク内で、クライアントマシンによってプリンタコネクションを更新するのを容易にするためのコンピュータ実行可能命令を含むコンピュータ読み取り可能な記録媒体であって、前記構成定義の前記構成可能パラメータの１つは、前記ネットワーク内の前記プリンタのうちの指定のプリンタへのコネクションの、前記ネットワークエンティティの割当てを含み、前記コンピュータ実行可能命令は、
前記クライアントマシンが関連付けられている前記ディレクトリ中の第１のネットワークエンティティに割り当てられた構成定義中で維持される情報の更新を要求するステップと、
前記第１のネットワークエンティティに割り当てられた前記構成定義中のプリンタコネクションの割当てのセットの変更の通知を受け取るステップと、
プリンタコネクションの割当てのセットの変更を前記クライアントマシンのプリンタサブシステムに組み込むステップと
を備える方法を、前記クライアントマシンによって実行することを容易にする
ことを特徴とするコンピュータ読み取り可能な記録媒体。
【請求項４５】
前記クライアントマシンはログオンスクリプトを含み、前記要求するステップは、前記ログオンスクリプトを実行するのに従って前記クライアントマシン上で呼び出される
ことを特徴とする請求項４４に記載のコンピュータ読み取り可能な記録媒体。
【請求項４６】
前記第１のネットワークエンティティはユーザのグループを含む
ことを特徴とする請求項４４に記載のコンピュータ読み取り可能な記録媒体。
【請求項４７】
前記第１のネットワークエンティティはクライアントマシンを含む
ことを特徴とする請求項４４に記載のコンピュータ読み取り可能な記録媒体。
【請求項４８】
前記第１のネットワークエンティティはマシンのグループを含む
ことを特徴とする請求項４４に記載のコンピュータ読み取り可能な記録媒体。
【請求項４９】
クライアント側構成管理コードによって前記第１の構成定義の更新があるかどうかをディレクトリサーバマシンに照会することを実行するのを容易にするクライアント側構成管理コード
をさらに備えることを特徴とする請求項４４に記載のコンピュータ読み取り可能な記録媒体。
【請求項５０】
前記ディレクトリおよび構成定義はディレクトリサーバマシン上にあり、
周期的なタイマイベントに従ってクライアント側構成管理コードを呼び出して、前記第１の構成定義の更新があるかどうかを前記ディレクトリサーバマシンに照会することを容易にするクライアント側構成管理コードをさらに備える
ことを特徴とする請求項４４に記載のコンピュータ読み取り可能な記録媒体。
【請求項５１】
プリンタコネクションの割当ておよび関連する構成定義の、リストを前記クライアントマシン上で維持するためのコンピュータ実行可能命令をさらに備える
ことを特徴とする請求項４４に記載のコンピュータ読み取り可能な記録媒体。
【請求項５２】
１つまたは複数のクライアントマシン、プリンタ、およびサーバと、ネットワークエンティティの一覧を含むディレクトリと、前記ネットワークエンティティに割り当てることが可能な構成可能パラメータを含めた構成定義とを含むネットワーク内で、プリンタコネクションを管理するのを容易にするためのコンピュータ実行可能命令を含むコンピュータ読み取り可能な記録媒体であって、前記構成定義の前記構成可能パラメータの１つは、前記ネットワーク内の前記プリンタのうちの指定のプリンタへのコネクションの、前記ネットワークエンティティの割当てを含み、前記コンピュータ実行可能命令は、
ネットワークリソースの前記ディレクトリ中で表された第１のネットワークエンティティに割り当てられた第１の構成定義内のプリンタコネクションの割当てのセットの変更を指定するステップと、
前記第１のネットワークエンティティに関連するクライアントマシンによって、プリンタコネクションの割当てのセットの変更の通知を受け取るステップと、
前記クライアントマシンによって、プリンタコネクションの割当てのセットの変更を前記クライアントマシンのプリンタサブシステムに組み込むステップと
を備える方法を実施することを容易にする
ことを特徴とするコンピュータ読み取り可能な記録媒体。
【請求項５３】
プリンタと、ネットワークエンティティの一覧を含むディレクトリと、前記ネットワークエンティティに割り当てることが可能な構成定義とを含むネットワーク内でプリンタコネクションを維持するための、ネットワーク化されたクライアントマシンに組み込まれるプリンタコネクションの管理フレームワークであって、前記構成定義はプリンタコネクションの、前記ネットワークエンティティの割当てを含むことが可能であり、ネットワーク化されたクライアントマシン中のプリンタコネクションの管理フレームワークは、
前記クライアントマシンが関連付けられている第１のネットワークエンティティに割り当てられた少なくとも第１の構成定義に対応するプリンタコネクションの割当ての更新呼出しを処理する手段と、
前記クライアントマシン上のプリンタサブシステムに更新要求をサブミットして、プリンタコネクションの更新に従ったプリンタコネクションの割当ての変更を前記プリンタサブシステムに通知する手段と
を備えたことを特徴とするプリンタコネクションの管理フレームワーク。
【請求項５４】
前記ネットワーク化されたクライアントマシンが関連付けられているネットワークエンティティについての構成定義の変更を監視する手段
をさらに備えたことを特徴とする請求項５３に記載のプリンタコネクションの管理フレームワーク。
【請求項５５】
構成定義の変更を監視する前記手段を周期的に呼び出す手段
をさらに備えたことを特徴とする請求項５４に記載のプリンタコネクションの管理フレームワーク。
【請求項５６】
プリンタコネクションのエクステンションを呼び出すことになる周期的なタイマイベントを生成する手段
をさらに備えたことを特徴とする請求項５３に記載のプリンタコネクションの管理フレームワーク。
【請求項５７】
ディレクトリサーバマシンは前記ディレクトリおよび構成定義を維持し、前記第１の構成定義の変更があるかどうかを前記ディレクトリサーバマシンに照会する手段をさらに備えた
ことを特徴とする請求項５３に記載のプリンタコネクションの管理フレームワーク。
【請求項５８】
前記ディレクトリおよび構成定義はディレクトリサーバマシン上にあり、
前記第１の構成定義の変更があるかどうかを前記ディレクトリサーバマシンに照会することを呼び出すためのイベントを生成する周期的タイマ手段をさらに備えた
ことを特徴とする請求項５３に記載のプリンタコネクションの管理フレームワーク。
【請求項５９】
プリンタコネクションの割当ておよび関連する構成定義の、リストを維持する手段
をさらに備えたことを特徴とする請求項５３に記載のプリンタコネクションの管理フレームワーク。
【請求項６０】
プリンタと、ネットワークエンティティの一覧を含むディレクトリと、前記ネットワークエンティティに割り当てることが可能な構成可能パラメータを含めた構成定義とを含むネットワーク内でプリンタコネクションを更新するための、ネットワーククライアントマシンに組み込まれるプリンタコネクションの管理機構であって、前記構成定義の前記構成可能パラメータの１つは、前記ネットワーク内の前記プリンタのうちの指定のプリンタへのコネクションの、前記ネットワークエンティティの割当てを含み、前記クライアントマシンは、
前記クライアントマシンが関連付けられている前記ディレクトリ中の第１のネットワークエンティティに割り当てられた構成定義中で維持される情報の更新を要求する手段と、
前記第１のネットワークエンティティに割り当てられた前記構成定義中のプリンタコネクションの割当てのセットの変更の通知を受け取る手段と、
プリンタコネクションの割当てのセットの変更を前記クライアントマシンのプリンタサブシステムに組み込む手段とを備えた
ことを特徴とするプリンタコネクションの管理機構。
【請求項６１】
前記クライアントマシンは、個別のユーザのログオンイベントに応答して前記要求する手段を呼び出す手段を含む
ことを特徴とする請求項６０に記載のプリンタコネクションの管理機構。
【請求項６２】
前記ディレクトリおよび構成定義はディレクトリサーバマシン上にあり、クライアント側構成管理コードが前記クライアントマシン上にあり、
周期的なタイマイベントに従って前記クライアント側構成管理コードを呼び出して、前記第１の構成定義の更新があるかどうかを前記ディレクトリサーバマシンに照会する手段
をさらに備えたことを特徴とする請求項６０に記載のプリンタコネクションの管理機構。
【請求項６３】
プリンタコネクションの割当ておよび関連する構成定義の、リストを前記クライアントマシン上で維持する手段
をさらに備えたことを特徴とする請求項６０に記載のプリンタコネクションの管理機構。
【請求項６４】
１つまたは複数のクライアントマシン、プリンタ、およびサーバと、ネットワークエンティティの一覧を含むディレクトリと、前記ネットワークエンティティに割り当てることが可能な構成可能パラメータを含めた構成定義とを含むネットワーク内で、プリンタコネクションを管理するためのプリンタコネクションの管理フレームワークであって、前記構成定義の前記構成可能パラメータの１つは、前記ネットワーク内の前記プリンタのうちの指定のプリンタへのコネクションの、前記ネットワークエンティティの割当てを含み、前記フレームワークは、
前記ネットワークリソースディレクトリ中で表された第１のネットワークエンティティに割り当てられた第１の構成定義内の、プリンタコネクションの割当てのセットの変更を指定する手段と、
前記第１のネットワークエンティティに関連するクライアントマシンによって、プリンタコネクションの割当てのセットの変更の通知を受け取る手段と、
前記クライアントマシンによって、プリンタコネクションの割当てのセットの変更を前記クライアントマシンのプリンタサブシステムに組み込む手段とを備えた
ことを特徴とするプリンタコネクションの管理フレームワーク。